(57)【要約】【課題】外部装置からの要求に応じて、メモリ性液晶パネルに保持している画素信号を取得し、該取得した画素信号を外部装置に送信する。【解決手段】表示装置１００は、画像を規定する画素信号を保持するデジタルメモリ素子６１８を画素毎に設けた表示部１６０と、表示部１６０に表示させる提供画像を提供するデータ提供装置３００から取得した提供画像を表示部１６０に表示させる表示制御部１４２１と、データ提供装置３００からの要求に応じて、デジタルメモリ素子６１８が保持している画素信号を画素毎に取得する画素信号取得部１４２２と、上記要求に対する応答として、画素信号取得部１４２２により取得した画素毎の画素信号を、データ提供装置３００に送信するレスポンス送信部１４３とを備える。【選択図】図１
2011095496.tif 000002
【特許請求の範囲】
【請求項１】
画像を規定する画素信号を保持する記憶素子を画素毎に設けた表示部を備えた表示装置であって、
上記表示部に表示させる提供画像を提供するデータ提供装置から取得した上記提供画像を上記表示部に表示させる表示制御手段と、
上記データ提供装置からの要求に応じて、上記記憶素子が保持している画素信号を画素毎に取得する画素信号取得手段と、
上記要求に対する応答として、上記画素信号取得手段により取得した画素毎の画素信号を、上記データ提供装置に送信する画素信号送信手段とを備えることを特徴とする表示装置。
【請求項２】
画像を規定する画素信号を保持する記憶素子を画素毎に設けた表示装置側表示部を備えた表示装置に、上記表示装置側表示部に表示させる提供画像を提供するデータ提供装置であって、
上記記憶素子が保持している画素毎の画素信号を、上記表示装置に要求して取得する画素信号要求手段と、
上記画素信号要求手段により取得した画素毎の画素信号から、上記表示装置側表示部に表示されている表示中画像を生成する画像生成手段と、
上記画像生成手段により生成した上記表示中画像を、自装置の表示部に表示させる表示制御手段とを備えることを特徴とするデータ提供装置。
【請求項３】
最後に格納された上記提供画像のみを記憶する記憶部と、
上記提供画像を、上記表示装置に送信するとともに、上記記憶部に格納する画像送信手段と、
上記画像生成手段により生成した上記表示中画像と、上記記憶部に格納されている上記提供画像とが一致するか否かを判定する画像判定手段と、
上記画像判定手段により判定した結果を出力部に出力する判定結果出力手段とを備えることを特徴とする請求項２に記載のデータ提供装置。
【請求項４】
最後に格納された上記提供画像のみを記憶する記憶部と、
上記提供画像を、上記表示装置に送信するとともに、上記記憶部に格納する画像送信手段と、
上記画像生成手段により生成した上記表示中画像と、上記記憶部に格納されている上記提供画像とが一致するか否かを判定する画像判定手段とを備え、
上記画像判定手段により、上記表示中画像と上記提供画像とが一致しないと判定されたとき、上記画像送信手段により、上記記憶部に格納されている上記提供画像を上記表示装置に送信することを特徴とする請求項２に記載のデータ提供装置。
【請求項５】
請求項１に記載の表示装置と、請求項２から４のいずれか１項に記載のデータ提供装置とを含むことを特徴とするデータ表示システム。
【請求項６】
画像を規定する画素信号を保持する記憶素子を画素毎に設けた表示部を備えた表示装置の制御方法であって、
上記表示部に表示させる提供画像を提供するデータ提供装置から取得した上記提供画像を上記表示部に表示させる表示制御ステップと、
上記データ提供装置からの要求に応じて、上記記憶素子が保持している画素信号を画素毎に取得する画素信号取得ステップと、
上記要求に対する応答として、上記画素信号取得ステップにより取得した画素毎の画素信号を、上記データ提供装置に送信する画素信号送信ステップとを含むことを特徴とする表示装置の制御方法。
【請求項７】
画像を規定する画素信号を保持する記憶素子を画素毎に設けた表示装置側表示部を備えた表示装置に、上記表示装置側表示部に表示させる提供画像を提供するデータ提供装置の制御方法であって、
上記記憶素子が保持している画素毎の画素信号を、上記表示装置に要求して取得する画素信号要求ステップと、
上記画素信号要求ステップにより取得した画素毎の画素信号から、上記表示装置側表示部に表示されている表示中画像を生成する画像生成ステップと、
上記画像生成ステップにより生成した上記表示中画像を、自装置の表示部に表示させる表示制御ステップとを含むことを特徴とするデータ提供装置の制御方法。
【請求項８】
請求項１に記載の表示装置、または、請求項２から４のいずれか１項に記載のデータ提供装置が備えるコンピュータを動作させる制御プログラムであって、上記コンピュータを上記の各手段として機能させるための制御プログラム。
【請求項９】
請求項８に記載の制御プログラムを記録したコンピュータ読み取り可能な記録媒体。
【発明の詳細な説明】
【技術分野】
【０００１】
本発明は、画像を表示する表示装置、および、表示装置に画像を提供するデータ提供装置等に関するものである。
【背景技術】
【０００２】
従来から、店舗等に陳列される商品とともに配置され、商品名や販売価格などの商品情報を表示する装置として、いわゆる「電子棚札」が知られている。
【０００３】
近年、電子棚札の表示部には、通電を要さずに表示内容を保持する機能を有する液晶パネル（以下、メモリ性液晶パネルと表記する）が広く用いられている。メモリ性液晶パネルが表示内容を保持するので、メモリ性液晶パネルを備える装置では、生産コストやハードウェア規模を抑えるために、表示内容を保存するためのメモリ等の記憶部を設けていないことが多い。なお、メモリ性液晶パネルに関する技術としては、特許文献１〜３に開示されている技術がある。
【０００４】
ところで、電子棚札は店舗内に多数配置されることが多いため、サーバによって電子棚札を管理するシステム（以下、電子棚札システムと表記する）を構築することが一般的に行なわれている。そして、一般的な電子棚札システムでは、サーバから電子棚札に商品情報を送信することが可能となっている。そして、電子棚札は、サーバから受信した商品情報を表示部に表示する。これにより、電子棚札にて商品情報を表示する（および更新する）ことが可能となっている。なお、サーバと電子棚札との通信は、通常、無線で行なわれる。
【０００５】
図２２を参照しながら、一般的な電子棚札システムにおいて、サーバが電子棚札に商品情報を表示させる処理の流れの一例について説明する。図２２は、一般的な電子棚札システムにおいて、サーバが電子棚札に商品情報を表示させる処理の流れの一例を示すシーケンス図である。
【０００６】
同図（ａ）に示す例では、サーバは、電子棚札を識別する棚札番号、画像データの表示を指示する表示コマンド、および画像データを含むリクエストを、電子棚札に送信する。なお、当該画像データには、商品情報が画像として含まれている。
【０００７】
そして、電子棚札は、サーバから上述したリクエストを受信すると、該受信したリクエストに含まれる画像データに基づいて、商品情報を含む画像を表示部に表示する。そして、処理が正常に終了した旨を示す情報（例えば、肯定応答：ＡＣＫ（acknowledge））を、サーバに返信する。
【０００８】
そして、サーバは、リクエストに対する応答として電子棚札からＡＣＫが返信された場合、電子棚札での表示処理が正常に終了したと判定する。
【先行技術文献】
【特許文献】
【０００９】
【特許文献１】特開平９−２１２１４０号公報（公開日：平成９年８月１５日）
【特許文献２】特開２００７−２０６４６９号公報（公開日：平成１９年８月１６日）
【特許文献３】特開２００７−２８６２３７号公報（公開日：平成１９年１１月１日）
【発明の概要】
【発明が解決しようとする課題】
【００１０】
ここで、サーバと電子棚札との通信は、上述したように無線で行なわれることが一般的である。そのため、電波環境の悪化等の影響により、サーバと電子棚札との通信が、一時的に切断されることがあり得る。
【００１１】
そのため、例えば、図２２（ｂ）に示すとおり、電子棚札からサーバへＡＣＫを送信したものの、電波環境の悪化等の影響により、ＡＣＫがサーバに到達しないことがある。この場合、サーバはＡＣＫを受信しないので、電子棚札での表示処理が正常に終了したか否かが判定できない。仮に、電子棚札での表示処理が正常に終了していない場合は、サーバから送信した画像データに含まれる商品情報と、電子棚札の表示部に現在表示されている商品情報とが一致していない状況になる。
【００１２】
よって、サーバがＡＣＫを受信しない場合、サーバの管理ユーザは、電子棚札の表示部の表示内容を確認することが望ましい。ところが、上述したように、電子棚札は、表示内容を保存するためのメモリ等を設けていないことが多く、電子棚札の表示部の表示内容をサーバから確認することは容易に行なえない。したがって、サーバの管理ユーザは、電子棚札の設置場所に行き、電子棚札の表示部の表示内容を直接視認しなければならず、確認作業に手間がかかるという問題があった。
【００１３】
このような問題を解決する技術について、特許文献１〜３などには開示されていない。
【００１４】
本発明は、上記の問題点に鑑みてなされたものであり、その目的は、外部装置からの要求に応じて、メモリ性液晶パネルに保持している画素信号を外部装置に送信する表示装置等を提供することにある。
【課題を解決するための手段】
【００１５】
上記課題を解決するために、本発明に係る表示装置は、画像を規定する画素信号を保持する記憶素子を画素毎に設けた表示部を備えた表示装置であって、上記表示部に表示させる提供画像を提供するデータ提供装置から取得した上記提供画像を上記表示部に表示させる表示制御手段と、上記データ提供装置からの要求に応じて、上記記憶素子が保持している画素信号を画素毎に取得する画素信号取得手段と、上記要求に対する応答として、上記画素信号取得手段により取得した画素毎の画素信号を、上記データ提供装置に送信する画素信号送信手段とを備えることを特徴としている。
【００１６】
また、本発明に係る表示装置の制御方法は、画像を規定する画素信号を保持する記憶素子を画素毎に設けた表示部を備えた表示装置の制御方法であって、上記表示部に表示させる提供画像を提供するデータ提供装置から取得した上記提供画像を上記表示部に表示させる表示制御ステップと、上記データ提供装置からの要求に応じて、上記記憶素子が保持している画素信号を画素毎に取得する画素信号取得ステップと、上記要求に対する応答として、上記画素信号取得ステップにより取得した画素毎の画素信号を、上記データ提供装置に送信する画素信号送信ステップとを含むことを特徴としている。
【００１７】
上記の構成によれば、表示装置は、画像を規定する画素信号を保持する記憶素子を画素毎に設けた表示部を備えており、データ提供装置から取得した提供画像を表示部に表示する。また、データ提供装置からの要求に応じて、記憶素子が保持している画素信号を画素毎に取得する。そして、該取得した画素毎の画素信号を、上記要求に対する応答としてデータ提供装置に送信する。
【００１８】
よって、表示装置は、データ提供装置から提供画像を取得して表示部に表示することができるとともに、表示部に現在表示している画像を規定する画素信号であって、記憶素子が保持している画素信号を、データ提供装置からの要求に応じてデータ提供装置に提供することができる。
【００１９】
したがって、表示装置の表示部に表示している画像をデータ提供装置に提供することができるという効果を奏する。
【００２０】
しかも、表示装置の表示部の記憶素子が保持している画素信号をデータ提供装置に送信することから、表示装置の表示部に表示している画像を保存するためのメモリ（例えばＶＲＡＭなど）を必要としないので、表示装置の生産コストやハードウェア規模を抑えつつ、表示装置の表示部に表示している画像をデータ提供装置に提供することができるという効果を奏する。
【００２１】
また、上記課題を解決するために、本発明に係るデータ提供装置は、画像を規定する画素信号を保持する記憶素子を画素毎に設けた表示装置側表示部を備えた表示装置に、上記表示装置側表示部に表示させる提供画像を提供するデータ提供装置であって、上記記憶素子が保持している画素毎の画素信号を、上記表示装置に要求して取得する画素信号要求手段と、上記画素信号要求手段により取得した画素毎の画素信号から、上記表示装置側表示部に表示されている表示中画像を生成する画像生成手段と、上記画像生成手段により生成した上記表示中画像を、自装置の表示部に表示させる表示制御手段とを備えることを特徴としている。
【００２２】
また、本発明に係るデータ提供装置の制御方法は、画像を規定する画素信号を保持する記憶素子を画素毎に設けた表示装置側表示部を備えた表示装置に、上記表示装置側表示部に表示させる提供画像を提供するデータ提供装置の制御方法であって、上記記憶素子が保持している画素毎の画素信号を、上記表示装置に要求して取得する画素信号要求ステップと、上記画素信号要求ステップにより取得した画素毎の画素信号から、上記表示装置側表示部に表示されている表示中画像を生成する画像生成ステップと、上記画像生成ステップにより生成した上記表示中画像を、自装置の表示部に表示させる表示制御ステップとを含むことを特徴としている。
【００２３】
上記の構成によれば、画像を規定する画素信号を保持する記憶素子を画素毎に設けた表示装置側表示部を備えた表示装置に、表示装置側表示部に表示させる提供画像を提供する。そして、上記記憶素子が保持している画素毎の画素信号を、表示装置に要求して取得する。そして、上記取得した画素毎の画素信号から、表示装置側表示部に表示されている表示中画像を生成する。そして、上記生成した表示中画像を自装置の表示部に表示する。
【００２４】
よって、データ提供装置は、表示装置の表示装置側表示部の記憶素子が保持している画素信号を表示装置に要求して取得し、画素信号から表示中画像を生成し、自装置の表示部に表示中画像を表示することができる。つまり、表示装置の表示部に表示している表示中画像を、データ提供装置の表示部に表示することができる。
【００２５】
したがって、データ提供装置のユーザは、表示装置の表示部に表示されている表示中画像を、データ提供装置の表示部にて視認することができるという効果を奏する。
【００２６】
さらに、本発明に係るデータ提供装置は、最後に格納された上記提供画像のみを記憶する記憶部と、上記提供画像を、上記表示装置に送信するとともに、上記記憶部に格納する画像送信手段と、上記画像生成手段により生成した上記表示中画像と、上記記憶部に格納されている上記提供画像とが一致するか否かを判定する画像判定手段と、上記画像判定手段により判定した結果を出力部に出力する判定結果出力手段とを備える構成としてもよい。
【００２７】
上記の構成によれば、提供画像を、表示装置に送信するとともに記憶部に格納する。そして、画素信号から生成した表示中画像と、記憶部に格納されている提供画像とが一致するか否かを判定する。そして、当該判定した結果を出力部に出力する。
【００２８】
よって、データ提供装置のユーザは、出力部に出力された判定結果により、提供画像と表示中画像とが一致するか否かを知ることができるという効果を奏する。
【００２９】
さらに、本発明に係るデータ提供装置は、最後に格納された上記提供画像のみを記憶する記憶部と、上記提供画像を、上記表示装置に送信するとともに、上記記憶部に格納する画像送信手段と、上記画像生成手段により生成した上記表示中画像と、上記記憶部に格納されている上記提供画像とが一致するか否かを判定する画像判定手段とを備え、上記画像判定手段により、上記表示中画像と上記提供画像とが一致しないと判定されたとき、上記画像送信手段により、上記記憶部に格納されている上記提供画像を上記表示装置に送信する構成としてもよい。
【００３０】
上記の構成によれば、提供画像を、表示装置に送信するとともに記憶部に格納する。そして、画素信号から生成した表示中画像と、記憶部に格納されている提供画像とが一致するか否かを判定する。そして、表示中画像と提供画像とが一致しないとき、記憶部に格納されている提供画像を表示装置に送信する。
【００３１】
よって、提供画像と表示中画像とが一致しないとき、表示装置に提供画像を送信することができる。
【００３２】
したがって、提供画像と表示中画像とが一致しないとき、表示装置の表示部に提供画像を表示させることがという効果を奏する。
【００３３】
また、本発明に係るデータ表示システムは、上記表示装置と、上記データ提供装置とを含むことを特徴としている。
【００３４】
上記の構成によれば、データ提供装置は、表示装置に、表示装置の表示部に表示させる提供画像を提供する。一方、表示装置は、画像を規定する画素信号を保持する記憶素子を画素毎に設けた表示部を備えており、データ提供装置から取得した提供画像を表示部に表示する。そして、データ提供装置が、表示装置の表示部の記憶素子が保持している画素信号を表示装置に要求すると、表示装置は、当該要求に応じて記憶素子が保持している画素信号を画素毎に取得し、該取得した画素毎の画素信号をデータ提供装置に送信する。そして、データ提供装置は、表示装置から送信された画素毎の画素信号から、表示装置の表示部に表示されている表示中画像を生成し、該生成した表示中画像をデータ提供装置の表示部に表示する。
【００３５】
よって、データ表示システムでは、データ提供装置は、表示装置に対して提供画像を提供するとともに、表示装置の表示部の記憶素子が保持している画素信号を取得することができる。そして、当該取得した画素信号から、表示装置の表示部に表示されている表示中画像を復元することができるとともに、データ提供装置の表示部に表示中画像を表示することができる。一方、表示装置は、データ提供装置から提供画像を取得して表示部に表示することができるとともに、表示部に現在表示している画像を規定する画素信号であって、記憶素子が保持している画素信号を、データ提供装置からの要求に応じてデータ提供装置に提供することができる。
【００３６】
したがって、データ表示システムでは、データ提供装置のユーザは、表示装置の表示部に提供画像を表示させることができるとともに、表示装置の表示部に表示されている表示中画像を、データ提供装置の表示部にて視認することができるという効果を奏する。
【００３７】
なお、上記表示装置および上記データ提供装置は、コンピュータによって実現してもよく、この場合には、コンピュータを上記各手段として動作させることにより上記表示装置および上記データ提供装置をコンピュータにて実現させる上記表示装置および上記データ提供装置の制御プログラム、およびそれを記録したコンピュータ読み取り可能な記録媒体も、本発明の範疇に入る。
【発明の効果】
【００３８】
以上のように、本発明に係る表示装置は、画像を規定する画素信号を保持する記憶素子を画素毎に設けた表示部を備えた表示装置であって、上記表示部に表示させる提供画像を提供するデータ提供装置から取得した上記提供画像を上記表示部に表示させる表示制御手段と、上記データ提供装置からの要求に応じて、上記記憶素子が保持している画素信号を画素毎に取得する画素信号取得手段と、上記要求に対する応答として、上記画素信号取得手段により取得した画素毎の画素信号を、上記データ提供装置に送信する画素信号送信手段とを備えている。
【００３９】
また、本発明に係る表示装置の制御方法は、画像を規定する画素信号を保持する記憶素子を画素毎に設けた表示部を備えた表示装置の制御方法であって、上記表示部に表示させる提供画像を提供するデータ提供装置から取得した上記提供画像を上記表示部に表示させる表示制御ステップと、上記データ提供装置からの要求に応じて、上記記憶素子が保持している画素信号を画素毎に取得する画素信号取得ステップと、上記要求に対する応答として、上記画素信号取得ステップにより取得した画素毎の画素信号を、上記データ提供装置に送信する画素信号送信ステップとを含んでいる。
【００４０】
よって、表示装置は、データ提供装置から提供画像を取得して表示部に表示することができるとともに、表示部に現在表示している画像を規定する画素信号であって、記憶素子が保持している画素信号を、データ提供装置からの要求に応じてデータ提供装置に提供することができる。
【００４１】
したがって、表示装置の表示部に表示している画像をデータ提供装置に提供することができるという効果を奏する。
【００４２】
また、本発明に係るデータ提供装置は、画像を規定する画素信号を保持する記憶素子を画素毎に設けた表示装置側表示部を備えた表示装置に、上記表示装置側表示部に表示させる提供画像を提供するデータ提供装置であって、上記記憶素子が保持している画素毎の画素信号を、上記表示装置に要求して取得する画素信号要求手段と、上記画素信号要求手段により取得した画素毎の画素信号から、上記表示装置側表示部に表示されている表示中画像を生成する画像生成手段と、上記画像生成手段により生成した上記表示中画像を、自装置の表示部に表示させる表示制御手段とを備えている。
【００４３】
また、本発明に係るデータ提供装置の制御方法は、画像を規定する画素信号を保持する記憶素子を画素毎に設けた表示装置側表示部を備えた表示装置に、上記表示装置側表示部に表示させる提供画像を提供するデータ提供装置の制御方法であって、上記記憶素子が保持している画素毎の画素信号を、上記表示装置に要求して取得する画素信号要求ステップと、上記画素信号要求ステップにより取得した画素毎の画素信号から、上記表示装置側表示部に表示されている表示中画像を生成する画像生成ステップと、上記画像生成ステップにより生成した上記表示中画像を、自装置の表示部に表示させる表示制御ステップとを含んでいる。
【００４４】
よって、データ提供装置は、表示装置の表示装置側表示部の記憶素子が保持している画素信号を表示装置に要求して取得し、画素信号から表示中画像を生成し、自装置の表示部に表示中画像を表示することができる。つまり、表示装置の表示部に表示している表示中画像を、データ提供装置の表示部に表示することができる。
【００４５】
したがって、データ提供装置のユーザは、表示装置の表示部に表示されている表示中画像を、データ提供装置の表示部にて視認することができるという効果を奏する。
【図面の簡単な説明】
【００４６】
【図１】本発明の一実施形態に係る表示装置の要部構成を示すブロック図である。
【図２】図１に示した表示装置の概観の一例を示す模式図である。
【図３】図１に示した表示装置を含むデータ表示システムの構成例を示す模式図である。
【図４】図４（ａ）は、図１に示した表示装置が備える画素メモリ内蔵液晶パネルに表示されている画像を示す模式図である。図４（ｂ）は、図４（ａ）で示した各画素の画素信号を２値で示した模式図である。
【図５】図１に示した表示装置が備える画素メモリ内蔵液晶パネルの構成例を示す回路図である。
【図６】図５に示した画素メモリ内蔵液晶パネルにおける、走査信号線に走査信号が入力されることによって、データ信号線に入力されたデータ信号がデジタルメモリ素子にラッチされたときの、走査信号と、デジタルメモリ素子の出力電圧との関係を示す図である。
【図７】図７（ａ）は、図５に示した画素メモリ内蔵液晶パネルが備えるデジタルメモリ素子の出力電圧と、液晶セルに印加される電圧との関係の一例を示す図である。図７（ｂ）は、図５に示した画素メモリ内蔵液晶パネルが備えるデジタルメモリ素子の出力電圧と、液晶セルに印加される電圧との関係の他の一例を示す図である。
【図８】本発明の一実施形態に係るデータ提供装置の要部構成を示すブロック図である。
【図９】図８に示したデータ提供装置が備える表示装置情報記憶部のデータ構造の一例を示す模式図である。
【図１０】図８に示したデータ提供装置が備える商品情報記憶部のデータ構造の一例を示す模式図である。
【図１１】図８に示したデータ提供装置が備えるコマンド情報記憶部のデータ構造の一例を示す模式図である。
【図１２】図１に示した表示装置における主な処理の流れを示すフローチャートである。
【図１３】図１に示した表示装置における表示コマンド受信処理の流れを示すフローチャートである。
【図１４】図１に示した表示装置における表示チェックコマンド受信処理の流れを示すフローチャートである。
【図１５】図８に示したデータ提供装置における表示更新処理の流れを示すフローチャートである。
【図１６】図８に示したデータ提供装置における表示チェック処理の流れを示すフローチャートである。
【図１７】本発明の他の一実施形態に係るデータ提供装置の要部構成を示すブロック図である。
【図１８】図１７に示したデータ提供装置における表示チェック処理の流れを示すフローチャートである。
【図１９】図１９（ａ）は、図１７に示したデータ提供装置の表示部に出力する画面例の模式図である。図１９（ｂ）は、図１７に示したデータ提供装置の表示部に出力する他の画面例の模式図である。
【図２０】本発明のさらなる他の一実施形態に係るデータ提供装置の要部構成を示すブロック図である。
【図２１】図２０に示したデータ提供装置における表示チェック処理の流れを示すフローチャートである。
【図２２】図２２（ａ）は、一般的な電子棚札システムにおいて、サーバが電子棚札に商品情報を表示させる処理の流れの一例を示すシーケンス図である。図２２（ｂ）は、一般的な電子棚札システムにおいて、サーバが電子棚札に商品情報を表示させる処理の流れの他の一例を示すシーケンス図である。
【発明を実施するための形態】
【００４７】
本発明の一実施形態について図１から図２１に基づいて説明すると以下の通りである。
【００４８】
（表示装置の概要）
本実施の形態に係る表示装置１００は、低消費電力で画像を表示し続けることができる画素メモリ内蔵液晶パネル１６１（図５参照）を備えており、サーバ装置であるデータ提供装置３００から受信したデータに基づいて、画素メモリ内蔵液晶パネル１６１を含む表示部１６０に画像を表示することができる装置である。ここで、画素メモリ内蔵液晶パネル１６１は、出力電圧を保持するデジタルメモリ素子６１８（記憶素子）（図５参照）を画素毎に設けた、いわゆるメモリ性液晶パネルである。画素メモリ内蔵液晶パネル１６１の構成については、後述する。
【００４９】
本実施の形態では、表示装置１００として、特に、店舗等にて陳列されている商品の商品情報（商品の名称や販売価格等に関する情報）を表示する棚札（いわゆる、電子棚札）を想定している。
【００５０】
図２を参照しながら、表示装置１００の概観の一例について説明する。図２は、表示装置１００の概観の一例を示す模式図である。同図に示すように、表示装置１００は、筐体の表面に表示部１６０を備えている。また、サーバ装置であるデータ提供装置３００との通信を行なう無線通信部１８０を備えており、無線通信部１８０にて、表示部１６０に表示する画像をデータ提供装置３００から受信する。
【００５１】
なお、同図に示す例では、表示装置１００は、表示部１６０に、“ヘアケアシャンプー”という商品に関する商品情報を表示している。
【００５２】
（発明の要旨）
表示装置１００の特徴は、データ提供装置３００からの要求に応じて、表示部１６０に現在表示している画像を構成する画素毎の画素信号をデジタルメモリ素子６１８から取得し、該取得した画素毎の画素信号を、データ提供装置３００に送信することである。
【００５３】
そして、データ提供装置３００の主な特徴は、デジタルメモリ素子６１８にて保持している画素毎の画素信号を、表示装置１００に要求して取得し、該取得した画素毎の画素信号に基づいて、自装置の表示部３６０（図８参照）に画像を出力することである。
【００５４】
これにより、データ提供装置３００を管理するユーザは、表示装置１００の表示部１６０に現在表示されている画像を、データ提供装置３００の表示部３６０にて視認することができる。
【００５５】
なお、デジタルメモリ素子６１８が保持している画素信号を取得するため、表示部１６０に表示している画像の情報を保存するためのメモリ等を表示装置１００に新たに設ける必要はないので、表示装置１００のハードウェア規模および生産コストは増大しない。
【００５６】
なお、本実施の形態では、デジタルメモリ素子６１８から得られた画素毎の画素信号を１６進表現に変換した値を、表示装置１００からデータ提供装置３００に送信するものとする。当該変換した値を、以下では、「画素メモリデータ」と表記する。画素メモリデータの具体的なデータ形式については後述する。
【００５７】
（データ表示システムの構成例）
次に、図３を参照しながら、表示装置１００を含むデータ表示システム８００の構成例について説明する。図３は、表示装置１００を含むデータ表示システム８００の構成例を示す模式図である。
【００５８】
同図に示すとおり、データ表示システム８００は、１または複数の表示装置１００、および、データ提供装置３００を含んでいる。表示装置１００およびデータ提供装置３００の構成については後述する。なお、データ提供装置３００は、後述するデータ提供装置３００ａ、３００ｂ、および３００ｃの総称として用いる（データ提供装置３００ａ、３００ｂ、および３００ｃを区別しないときは、データ提供装置３００と表記する）。
【００５９】
表示装置１００とデータ提供装置３００とは、一般的に知られている通信ネットワーク５００を介して通信可能に接続される。ここでは、通信ネットワーク５００としては、特に、ＩＥＥＥ８０２．１１無線などの無線通信ネットワークを想定しているが、これに限定されるものではない。
【００６０】
そして、データ提供装置３００は、通信ネットワーク５００を介して、表示装置１００に、後述するコマンド（要求）を含むデータを送信する。以下では、当該データを「リクエストデータ」と表記する。一方、表示装置１００は、リクエストデータに対する応答を含むデータを、通信ネットワーク５００を介して、データ提供装置３００に送信する。以下では、当該データを「レスポンスデータ」と表記する。
【００６１】
（表示装置の構成）
次に、図１を参照しながら、表示装置１００の要部構成について説明する。図１は、表示装置１００の要部構成を示すブロック図である。同図に示すように、表示装置１００は、記憶部１３０、制御部１４０、表示部（表示装置側表示部）１６０、無線通信部１８０、および電源部１９０を備えている。
【００６２】
記憶部１３０は、制御部１４０が実行する（１）各部の制御プログラム、（２）ＯＳプログラム、（３）アプリケーションプログラム、および、（４）これらプログラムを実行するときに読み出す各種データ等を記憶するものである。記憶部１３０は、例えば、フラッシュメモリなどの不揮発性の記憶装置によって構成される。
【００６３】
記憶部１３０は、特に、装置ＩＤ記憶部１３１、受信用バッファ１３２、および送信用バッファ１３３を含んでいる。
【００６４】
装置ＩＤ記憶部１３１は、表示装置１００を識別する情報（具体的には、表示装置１００のＩＤ）（以下、装置ＩＤと表記する）を読み出し可能に記憶するものである。なお、装置ＩＤ記憶部１３１に記憶させる装置ＩＤは、表示装置１００の工場出荷時等に予め設定されていてもよいし、ユーザによって登録可能になっていてもよい。
【００６５】
また、受信用バッファ１３２および送信用バッファ１３３は、データ提供装置３００とやりとりするデータを一時的に読み出し可能に記憶するものである。受信用バッファ１３２は、データ提供装置３００から受信したデータを、読み出し可能に記憶する。また、送信用バッファ１３３は、データ提供装置３００に送信するデータを、読み出し可能に記憶する。
【００６６】
次に、制御部１４０について説明する。制御部１４０は、表示装置１００が備える各部の動作を制御するものである。制御部１４０は、記憶部１３０に記憶されている各種プログラムを読み出して、所定の演算処理を行なうことによって、表示装置１００の各部を制御し、表示装置１００が備える各種機能を実現するものであり、ＣＰＵ（Central Processing Unit）およびメモリ等で構成することができる。制御部１４０の詳細な構成については後述する。
【００６７】
次に、表示部１６０について説明する。表示部１６０は、いわゆる画素メモリ内蔵液晶表示装置であり、画素メモリ内蔵液晶パネル１６１、および画素メモリ内蔵液晶パネル１６１を駆動するための周辺回路を含んで構成される。周辺回路とは、例えば、画素メモリ内蔵液晶パネル１６１を構成する走査信号線およびデータ信号線に入力する信号を制御するための制御回路などである。画素メモリ内蔵液晶パネル１６１の詳細な構成については後述する。
【００６８】
次に、無線通信部１８０について説明する。無線通信部１８０は、データ提供装置３００の無線通信部３８０との間で通信ネットワーク５００を形成し、通信ネットワーク５００を介して無線通信部３８０との間で、リクエストデータおよびレスポンスデータの送受信を行なうものである。
【００６９】
次に、電源部１９０について説明する。電源部１９０は、表示装置１００の各部に電力を供給する電源である。電源の種類は、特に限定されるものではなく、いわゆる太陽電池であってもよいし、ＡＣ（alternating-current）電源であってもよい。
【００７０】
次に、制御部１４０について詳細に説明する。制御部１４０は、リクエスト受信部１４１、コマンド実行部１４２、および、レスポンス送信部（画素信号送信手段）１４３を含んでいる。
【００７１】
まず、リクエスト受信部１４１について説明する。リクエスト受信部１４１は、概略的には、無線通信部１８０を介して、データ提供装置３００からリクエストデータを受信し、該受信したリクエストデータを受信用バッファ１３２に格納する。そして、該受信したリクエストデータが自装置宛のものであるか否か、および、リクエストデータに含まれるコマンドの種別を解析する。そのために、リクエスト受信部１４１は、装置ＩＤ解析部１４１１、およびコマンド解析部１４１２を含んでいる。
【００７２】
装置ＩＤ解析部１４１１は、リクエスト受信部１４１が受信したリクエストデータに含まれている装置ＩＤと、装置ＩＤ記憶部１３１に記憶されている装置ＩＤとが一致するか否かを判定する判定処理を行なう。そして、当該判定処理の結果、装置ＩＤが一致しなかった場合、リクエスト受信部１４１は、該受信したリクエストデータを受信用バッファ１３２から削除するとともに、次のリクエストデータを受信するまで待機する。一方、上記判定処理の結果、装置ＩＤが一致した場合、リクエスト受信部１４１は、該受信したリクエストデータは自装置宛であると判定する。
【００７３】
コマンド解析部１４１２は、装置ＩＤ解析部１４１１によって上記受信したリクエストデータが自装置宛であると判定されたとき、該リクエストデータに含まれているコマンドの種別を解析する。
【００７４】
ここで、コマンドには、少なくとも「表示コマンド」および「表示チェックコマンド」がある。そして、表示コマンドを含むリクエストデータを受信した場合、表示装置１００は、該受信したリクエストデータに含まれる表示用データに基づいて、表示部１６０に画像を表示する。ここで、「表示用データ」とは、表示部１６０に画像を表示させるためのデータであって、表示部１６０に出力することによって、画素メモリ内蔵液晶パネル１６１の周辺回路からデータ信号および走査信号を出力することが可能なデータである。
【００７５】
また、表示チェックコマンドを含むリクエストデータを受信した場合、表示装置１００は、デジタルメモリ素子６１８から画素毎の画素信号を取得して画素メモリデータを生成し、画素メモリデータをデータ提供装置３００に送信する。
【００７６】
なお、コマンドには、さらに「生存確認コマンド」および「電源電圧測定コマンド」があってもよい。生存確認コマンドを含むリクエストデータを受信したとき、表示装置１００は、自装置が正常に動作中である旨を含めたレスポンスデータを、データ提供装置３００に送信する。また、電源電圧測定コマンドを含むリクエストデータを受信したとき、表示装置１００は、電源部１９０の電圧を測定し、測定結果を含めたレスポンスデータをデータ提供装置３００に送信する。
【００７７】
次に、コマンド実行部１４２について説明する。コマンド実行部１４２は、コマンド解析部１４１２が解析したコマンドの種別に応じた処理を実行する。そのために、コマンド実行部１４２は、表示制御部（表示制御手段）１４２１、画素信号取得部（画素信号取得手段）１４２２、生存データ出力部１４２３、および、電源電圧測定部１４２４を含んでいる。
【００７８】
表示制御部１４２１は、コマンドが「表示コマンド」である場合に動作するものであり、受信用バッファ１３２に格納されているリクエストデータに含まれる表示用データを読み出し、該読み出した表示用データを表示部１６０に出力することによって、画素メモリ内蔵液晶パネル１６１に画像を表示させる。より具体的には、上記読み出した表示用データに基づいて、データ信号および走査信号を画素メモリ内蔵液晶パネル１６１の周辺回路から出力させることによって、画素メモリ内蔵液晶パネル１６１に画像を表示させる。
【００７９】
なお、画素メモリ内蔵液晶パネル１６１に画像が表示された後、受信用バッファ１３２に格納されている表示用データは削除するものとする。
【００８０】
また、表示部１６０への表示用データの出力が正常に行なわれた場合、表示制御部１４２１は、肯定応答を示すデータ（例えば、ＡＣＫ）を送信用バッファ１３３に格納する。一方、表示部１６０への表示用データの出力が正常に行なわなかった等の不具合が生じた場合、表示制御部１４２１は、否定応答を示すデータ（例えば、ＮＡＫ（negative acknowledge））を送信用バッファ１３３に格納する。
【００８１】
次に、画素信号取得部１４２２は、コマンドが「表示チェックコマンド」である場合に動作するものであり、表示部１６０に現在表示している画像を構成する画素毎の画素信号を、デジタルメモリ素子６１８から取得する。言い換えれば、画素メモリ内蔵液晶パネル１６１の各デジタルメモリ素子６１８に保持（ラッチ）されているデータを取得する。デジタルメモリ素子６１８からの画素信号を取得するための回路構成については後述する。
【００８２】
そして、画素信号取得部１４２２は、上記取得した画素毎の画素信号から、画素メモリデータを生成し、該生成した画素メモリデータを送信用バッファ１３３に格納する。このとき、画素信号取得部１４２２は、肯定応答を示すデータ（例えば、ＡＣＫ）を、画素メモリデータと共に、送信用バッファ１３３に格納する。
【００８３】
なお、画素メモリデータを生成できない等の不具合が生じ、画素メモリデータをデータ提供装置３００に送信できない場合、画素信号取得部１４２２は、否定応答を示すデータ（例えば、ＮＡＫ）を、送信用バッファ１３３に格納する。
【００８４】
次に、生存データ出力部１４２３は、コマンドが「生存確認コマンド」である場合に動作するものであり、自装置が正常に動作中である旨を示すデータを送信用バッファ１３３に格納する。
【００８５】
次に、電源電圧測定部１４２４は、コマンドが「電源電圧測定コマンド」である場合に動作するものであり、電源部１９０の電圧の測定するとともに、測定結果を送信用バッファ１３３に格納する。
【００８６】
なお、正常に測定が終了したときは、計測結果とともに、肯定応答を示すデータ（例えば、ＡＣＫ）を送信用バッファ１３３に格納する。なお、測定不能であったり、測定が正常に終了しなかった場合は、否定応答を示すデータ（例えば、ＮＡＫ）を、送信用バッファ１３３に格納する。
【００８７】
次に、レスポンス送信部１４３について説明する。レスポンス送信部１４３は、コマンド実行部１４２での処理が終了したとき、送信用バッファ１３３に格納されているデータを、レスポンスデータとして、無線通信部１８０を介して、データ提供装置３００に送信するものである。
【００８８】
そして、送信用バッファ１３３に格納されているデータをデータ提供装置３００に送信した直後、送信用バッファ１３３に格納されているデータを削除する。
【００８９】
なお、表示コマンドを含むリクエストデータを受信した場合に、対応するレスポンスデータを送信するまでに行なう一連の処理を、以下では「表示コマンド受信処理」とも表記する。
【００９０】
また、表示チェックコマンドを含むリクエストデータを受信した場合に、対応するレスポンスデータを送信するまでに行なう一連の処理を、以下では「表示チェックコマンド受信処理」とも表記する。
【００９１】
また、生存確認コマンドを含むリクエストデータを受信した場合に、対応するレスポンスデータを送信するまでに行なう一連の処理を、以下では「生存確認コマンド受信処理」とも表記する。
【００９２】
また、電源電圧測定コマンドを含むリクエストデータを受信した場合に、対応するレスポンスデータを送信するまでに行なう一連の処理を、以下では「電源電圧測定コマンド受信処理」とも表記する。
【００９３】
（画素メモリデータ）
ここで、画素信号取得部１４２２が生成する画素メモリデータのデータ形式の一例について、図４を参照しながら説明する。
【００９４】
まず、図４（ａ）は、画素メモリ内蔵液晶パネル１６１に表示されている画像を示す模式図である。なお、説明の簡略化のため、画素メモリ内蔵液晶パネル１６１のうちの、８×８画素（計６４画素）のみを図示している。同図に示す例では、「２」という文字を表す画像が表示されている。
【００９５】
そして、図４（ｂ）は、図４（ａ）で示した各画素の画素信号を２値で示した模式図である。同図では、図４（ａ）で示した黒色の画素を「１」と表記し、図４（ａ）で示した白色の画素を「０」と表記している。
【００９６】
この場合、画素信号取得部１４２２は、画素ごとに設けられたデジタルメモリ素子６１８から、図４（ｂ）に示した６４個の画素信号を取得する。
【００９７】
そして、画素信号取得部１４２２は、画像の行毎に、１〜４列目の画素信号、および、５〜８列目の画素信号を、それぞれ１６進表現に変換する。
【００９８】
具体的には、画像の１行目については、１〜４列目の値「００００」を１６進数の「０」とし、５〜８列目の値「００００」を１６進数の「０」として、その結果として、１行目全体として「００ｈ」に変換する。
【００９９】
同様に、２行目については、１〜４列目の値「００１１」を１６進数の「３」とし、５〜８列目の値「１０００」を１６進数の「８」として、その結果として、２行目全体として「３８ｈ」に変換する。
【０１００】
以下同様に、３行目については「４４ｈ」に変換し、４行目については「０８ｈ」に変換し、５行目については「１０ｈ」に変換し、６行目については「２０ｈ」に変換し、７行目については「７Ｃｈ」に変換し、８行目については、「００ｈ」に変換する。
【０１０１】
そして、上記変換後の各行の１６進表現を、行順に並べた値を、画素メモリデータとして生成する。つまり、上述の例では、画素メモリデータとして、「００ｈ，３８ｈ，４４ｈ，０８ｈ，１０ｈ，２０ｈ，７Ｃｈ，００ｈ」を生成する。
【０１０２】
なお、上述では、画像の行毎の画素信号の１６進表現を行順に並べたデータ形式を、画素メモリデータのデータ形式とする例について説明したが、これに限定されるものではない。たとえば、単に、画素毎の画素信号を画像の走査方向に並べたデータ形式であってもよい。
【０１０３】
（画素メモリ内蔵液晶パネルの構成）
次に、画素メモリ内蔵液晶パネル１６１の構成について説明する。画素メモリ内蔵液晶パネル１６１は、画素毎に設けられたデジタルメモリ素子の出力電圧を保持することによって、データ信号線および走査信号線への信号を停止しても、画像を表示し続けることができる液晶パネルである。
【０１０４】
図５を参照しながら、画素メモリ内蔵液晶パネル１６１の構成例について説明する。図５は、画素メモリ内蔵液晶パネル１６１の構成例を示す回路図である。
【０１０５】
画素メモリ内蔵液晶パネル１６１は、同図に示すように、画素毎に、画素部スイッチ素子（ＭＯＳ ＦＥＴ）６１１と、デジタルメモリ素子（インバータ回路）６１２および６１３と、液晶セル（液晶容量）６１４と、付加回路（エクスクルーシブＮＯＲ回路）６１５とを備えている。なお、デジタルメモリ素子６１２および６１３を総称して、デジタルメモリ素子６１８と称する。
【０１０６】
さらに、画素メモリ内蔵液晶パネル１６１は、同図に示すように、各画素の液晶セル６１４を交流で駆動させるための交流駆動用クロック６１６および共通電極端子（ＣＯＭ）６１７を備えている。
【０１０７】
そして、画素部スイッチ素子６１１のゲート端子は、走査信号線ｘｉ（ｉ＝１、２、…、ｎ；ｎは正の整数を示す）に接続されており、また、画素部スイッチ素子６１１のソース端子は、データ信号線ｙｉ（ｉ＝１、２、…、ｍ；ｍは正の整数を示す）に接続されている。走査信号線ｘｉに走査信号が入力されているときは、画素部スイッチ素子６１１は導通状態となり、走査信号線ｘｉに走査信号が入力されていないときは、画素部スイッチ素子６１１は遮断状態となる。
【０１０８】
なお、データ信号線ｙｉは、それぞれ、画素メモリ内蔵液晶パネル１６１の周辺回路の一部であるセグメントドライバ６２１の入出力ポート６２２に接続されている。
【０１０９】
セグメントドライバ６２１は、書き込みモードと読み込みモードとを有しており、書き込みモードのときは、外部から入力されるデータ信号Ｄをラッチし、データ信号線ｙｉのそれぞれにデータ信号を入力する。一方、読み込みモードのときは、データ信号線ｙｉを介して、デジタルメモリ素子６１８が保持している信号を読み込む。書き込みモードと読み込みモードとは、外部からセグメントドライバ６２１に入力されるライト／リード切替線ＷＲの値に従って切り替える。
【０１１０】
上記構成により、書き込みモードのとき、走査信号線ｘｉに走査信号が入力することによって、データ信号線ｙｉに入力されるデータ信号が、画素部スイッチ素子６１１を介して、デジタルメモリ素子６１８にラッチ（保持）されるとともに、該ラッチされたデータ信号（画素信号）が、付加回路６１５を介して、液晶セル６１４に書き込まれる。
【０１１１】
そして、デジタルメモリ素子６１８へ入力される信号が変化しない間は、デジタルメモリ素子６１８の出力電圧は、前の状態を保持するようになっている。したがって、データ信号線ｙｉおよび走査信号線ｘｉへの信号の入力を停止しても、デジタルメモリ素子６１８の出力電圧は保持されるので、画素メモリ内蔵液晶パネル１６１は、画像を表示し続けることができる。
【０１１２】
なお、画素メモリ内蔵液晶パネル１６１は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【０１１３】
一方、読み込みモードのとき、走査信号線ｘｉに走査信号を入力することによって、デジタルメモリ素子６１８にラッチ（保持）されているデータ信号（画素信号）を、画素部スイッチ素子６１１およびデータ信号線ｙｉを介して読み込む。
【０１１４】
次に、図６を参照しながら、走査信号線ｘｉに走査信号が入力されることによって、データ信号線ｙｉに入力されたデータ信号がデジタルメモリ素子６１８にラッチされたときの、走査信号とデジタルメモリ素子６１８の出力電圧ＥＰ１との関係について説明する。
【０１１５】
図６は、走査信号線ｘｉに走査信号が入力されることによって、データ信号線ｙｉに入力されたデータ信号がデジタルメモリ素子６１８にラッチされたときの、走査信号と、デジタルメモリ素子６１８の出力電圧ＥＰ１との関係を示す図である。
【０１１６】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６１８の出力電圧がＨｉｇｈレベルとなる。そして、走査信号がＨｉｇｈレベルに変化するタイミングで、デジタルメモリ素子６１８の出力電圧はＨｉｇｈレベルに固定される。そして、次に走査信号がＬｏｗレベルになるまで、デジタルメモリ素子６１８の出力電圧は保持される。
【０１１７】
このように、デジタルメモリ素子６１８は、走査信号線ｘｉの走査信号がＬｏｗレベルになるまで、前の出力電圧を保持する。
【０１１８】
次に、図７（ａ）および（ｂ）を参照しながら、デジタルメモリ素子６１８の出力電圧と、液晶セル６１４に印加される電圧との関係について説明する。図７（ａ）および（ｂ）は、いずれも、デジタルメモリ素子６１８の出力電圧と、液晶セル６１４に印加される電圧との関係の一例を示す図である。
【０１１９】
デジタルメモリ素子の出力電圧がＨｉｇｈレベルのとき，交流駆動用クロック６１６の出力電圧ＥＰ２に対して、反転した出力電圧ＥＰ３が、付加回路６１５の出力電圧として得られる。したがって、液晶セル６１４には、交流駆動用クロック６１６の出力電圧ＥＰ２と付加回路６１５の出力電圧ＥＰ３との差分である電圧ＥＰ４が印加される（図７（ａ）参照）。
【０１２０】
一方、デジタルメモリ素子６１８の出力がＬｏｗレベルのとき，交流駆動用クロック６１６の出力電圧ＥＰ２と同相の電圧ＥＰ５が、付加回路６１５の出力電圧として得られる。この場合、交流駆動用クロック６１６の出力電圧ＥＰ２と付加回路６１５の出力電圧ＥＰ５との差分であるＥＰ６は、常にＬｏｗレベルとなる（図７（ｂ）参照）。したがって、液晶セル６１４には、電圧が印加されない。
【０１２１】
以上のように、画素メモリ内蔵液晶パネル１６１では、データを静止画像として継続して表示する場合、画素部スイッチ素子６１１、並びに、デジタルメモリ素子６１８をスイッチングさせる必要がない。そのため、画素メモリ内蔵液晶パネル１６１では、低消費電力化を実現することができる。
【０１２２】
（データ提供装置の構成）
次に、図８を参照しながら、データ提供装置３００ａの要部構成について説明する。図８は、データ提供装置３００ａの要部構成を示すブロック図である。同図に示すように、データ提供装置３００ａは、記憶部３３０、制御部３４０、表示部（出力部）３６０、無線通信部３８０、および操作部３９０を備えている。
【０１２３】
記憶部３３０は、制御部３４０が実行する（１）各部の制御プログラム、（２）ＯＳプログラム、（３）アプリケーションプログラム、および、（４）これらプログラムを実行するときに読み出す各種データ等を記憶するものである。記憶部３３０は、例えば、フラッシュメモリなどの不揮発性の記憶装置によって構成される。
【０１２４】
記憶部３３０は、特に、表示装置情報記憶部（記憶部）３３１、商品情報記憶部３３２、コマンド情報記憶部３３３、メッセージ記憶部３３４、送信用バッファ３３５、および受信用バッファ３３６を含んでいる。
【０１２５】
表示装置情報記憶部３３１は、表示装置１００の装置ＩＤと、表示装置１００の表示部１６０に表示させる商品情報を識別可能な情報（具体的には、商品のＩＤ）（以下、商品ＩＤと表記する）と、後述するリクエストデータ生成部３４２が生成する表示用データと、後述する画像生成部３４５が生成するチェック用データとを対応づけて、読み出し可能に記憶するものである。なお、表示装置情報記憶部３３１に記憶させる、表示装置１００の装置ＩＤおよび商品ＩＤは、ユーザが操作部３９０にて入力操作を行なうことによって登録、更新、削除できるものとする。なお、表示装置情報記憶部３３１のデータ構造例については後述する。
【０１２６】
商品情報記憶部３３２は、商品毎に、商品情報を読み出し可能に記憶するものである。商品情報記憶部３３２に記憶させる商品情報は、ユーザによって登録、更新、削除できるものとする。なお、商品情報記憶部３３２のデータ構造例については後述する。
【０１２７】
コマンド情報記憶部３３３は、コマンド毎に、コマンドを示す値を読み出し可能に記憶するものである。コマンド情報記憶部３３３に記憶させるコマンドを示す値は、データ提供装置３００ａの工場出荷時等に予め設定されていてもよいし、ユーザが操作部３９０にて入力操作を行なうことによって登録、更新、削除が可能であってもよい。なお、コマンド情報記憶部３３３のデータ構造例については後述する。
【０１２８】
メッセージ記憶部３３４は、表示部３６０に表示させる各種メッセージ（文字列、画像、アイコン等）を記憶するものである。メッセージ記憶部３３４に記憶させるメッセージは、データ提供装置３００ａの工場出荷時等に予め設定されていてもよいし、ユーザが操作部３９０にて入力操作を行なうことによって登録、更新、削除が可能であってもよい。メッセージの種類としては、例えば、処理が正常終了した旨を示すメッセージ、処理が異常終了した旨を示すメッセージ、注意を促すメッセージ等が挙げられる。
【０１２９】
送信用バッファ３３５および受信用バッファ３３６は、表示装置１００とやりとりするデータを一時的に読み出し可能に記憶するものである。送信用バッファ３３５は、表示装置１００に送信するリクエストデータを、読み出し可能に記憶する。また、受信用バッファ３３６は、表示装置１００から受信したレスポンスデータを、読み出し可能に記憶する。
【０１３０】
次に、制御部３４０について説明する。制御部３４０は、データ提供装置３００ａが備える各部の動作を制御するものである。制御部３４０は、記憶部３３０に記憶されている各種プログラムを読み出して、所定の演算処理を行なうことによって、データ提供装置３００ａの各部を制御し、データ提供装置３００ａが備える各種機能を実現するものであり、ＣＰＵおよびメモリ等で構成することができる。制御部３４０の詳細な構成については後述する。
【０１３１】
次に、表示部３６０について説明する。表示部３６０は、制御部３４０の指示に基づいて画像を表示する表示装置である。例えば、ＬＣ（Liquid Crystal）表示パネルやＥＬ（Electro Luminescence）表示パネル、ＣＲＴ（cathode-ray tube）表示装置等を表示部３６０として適用することができる。
【０１３２】
次に、無線通信部３８０について説明する。無線通信部３８０は、表示装置１００の無線通信部１８０との間で通信ネットワーク５００を形成し、通信ネットワーク５００を介して無線通信部１８０との間で、リクエストデータおよびレスポンスデータの送受信を行なうものである。
【０１３３】
次に、操作部３９０について説明する。操作部３９０は、ユーザの入力操作を受け付け、該入力操作に応じた入力信号を制御部３４０に送信するものである。操作部３９０は、例えば、リモコン、マウス、キーボード、スイッチ、タッチパネルなどの入力デバイスで構成される。
【０１３４】
なお、本実施の形態では、操作部３９０にて受付可能な入力操作には、少なくとも下記（Ａ）〜（Ｄ）の４種類がある。すなわち、（Ａ）表示装置１００に表示させる画像（以下、提供画像ＳＵとも表記する）を表示装置１００に送信する指示を与える入力操作（以下、表示更新操作とも表記する）、（Ｂ）表示装置１００の表示部１６０に表示されている画像（以下、表示中画像ＮＤとも表記する）を自装置の表示部に表示する指示を与える入力操作（以下、表示チェック操作とも表記する）、（Ｃ）表示装置１００が、正常に動作中であるか否かを確認する指示を与える入力操作（以下、生存確認操作とも表記する）、および（Ｄ）表示装置１００の電源の電圧を測定する指示を与える入力操作（以下、電源測定操作とも表記する）である。なお、どの表示装置１００に対する指示であるかを指定するために、上記（Ａ）〜（Ｄ）の各入力操作には、表示装置１００を指定する入力操作（具体的には、表示装置１００の装置ＩＤの指定）が含まれる。また、上記（Ａ）の入力操作には、商品を指定する入力操作（具体的には、商品ＩＤの指定）が含まれる。
【０１３５】
なお、表示更新操作を行なって表示装置１００の表示部１６０に提供画像ＳＵを表示させる一連の処理を、以下では、「表示更新処理」とも表記する。また、表示チェック操作を行なって表示装置１００に表示されている表示中画像ＮＤを自装置の表示部に表示する一連の処理を、以下では、「表示チェック処理」とも表記する。
【０１３６】
次に、制御部３４０について詳細に説明する。制御部３４０は、リクエストデータ生成部（画素信号要求手段、画像送信手段）３４２、リクエスト送信部（画素信号要求手段、画像送信手段）３４３、レスポンス受信部３４４、画像生成部（画像生成手段）３４５、および表示画面生成部３４６を含んでいる。
【０１３７】
まず、リクエストデータ生成部３４２について説明する。リクエストデータ生成部３４２は、操作部３９０にて受け付けた入力操作に応じた入力信号を受信し、該受信した入力信号に応じて、表示装置１００に送信するリクエストデータを生成するものである。
【０１３８】
まず、操作部３９０にて表示更新操作を受け付けた場合、リクエストデータ生成部３４２は、入力操作にて指定された商品ＩＤと対応付けて商品情報記憶部３３２に記憶されている商品情報を含む提供画像ＳＵを、表示装置１００の表示部１６０に表示させるための表示用データを生成する。
【０１３９】
なお、リクエストデータ生成部３４２は、表示部１６０に表示させる画像の雛形を保持しており、商品情報記憶部３３２に記憶されている商品情報を、表示部１６０に表示させる画像の雛形の所定領域に所定字体にて表示させた提供画像ＳＵを生成し、該生成した提供画像ＳＵを表示装置１００の表示部１６０に表示させるための表示用データを生成することを想定している。表示部１６０に表示させる画像の雛形、および、商品情報を表示させる所定領域および所定字体については、ユーザが操作部３９０にて入力操作を行なうことによって登録、更新、削除できるものとする。
【０１４０】
また、リクエストデータ生成部３４２は、上記生成した表示用データと、入力操作にて指定された装置ＩＤと、入力操作にて指定された商品ＩＤとを対応づけて、表示装置情報記憶部３３１に格納する。このとき、すでに、表示装置情報記憶部３３１に、入力操作にて指定された装置ＩＤおよび入力操作にて指定された商品ＩＤに対応付けられた表示用データが記憶されている場合は、上書きする。つまり、表示装置情報記憶部３３１は、最後に格納された表示用データのみを記憶する。
【０１４１】
続いて、リクエストデータ生成部３４２は、入力操作にて指定された装置ＩＤと、コマンド情報記憶部３３３に記憶されている表示コマンドを示す値と、上記生成した表示用データとの組を、リクエストデータとして、送信用バッファ３３５に格納する。
【０１４２】
また、操作部３９０にて表示チェック操作を受け付けた場合、リクエストデータ生成部３４２は、入力操作にて指定された装置ＩＤと、コマンド情報記憶部３３３に記憶されている表示チェックコマンドを示す値との組を、リクエストデータとして、送信用バッファ３３５に格納する。
【０１４３】
また、操作部３９０にて生存確認操作を受け付けた場合、リクエストデータ生成部３４２は、入力操作にて指定された装置ＩＤと、コマンド情報記憶部３３３に記憶されている生存確認コマンドを示す値との組を、リクエストデータとして、送信用バッファ３３５に格納する。
【０１４４】
また、操作部３９０にて電源測定操作を受け付けた場合、リクエストデータ生成部３４２は、入力操作にて指定された装置ＩＤと、コマンド情報記憶部３３３に記憶されている電源電圧測定コマンドを示す値との組を、リクエストデータとして、送信用バッファ３３５に格納する。
【０１４５】
次に、リクエスト送信部３４３について説明する。リクエスト送信部３４３は、リクエストデータ生成部３４２が送信用バッファ３３５にリクエストデータを格納したことをトリガとして、送信用バッファ３３５に格納されているリクエストデータを、無線通信部３８０を介して、表示装置１００に送信する。
【０１４６】
次に、レスポンス受信部３４４について説明する。レスポンス受信部３４４は、リクエスト送信部３４３から表示装置１００へ送信したリクエストデータに対するレスポンスデータを、表示装置１００から無線通信部３８０を介して受信する。そして、該受信したレスポンスデータを、受信用バッファ３３６に格納する。
【０１４７】
なお、表示チェックコマンドを含むリクエストデータに対するレスポンスデータを受信した場合、当該レスポンスデータには画素メモリデータが含まれているので、受信用バッファ３３６には、画素メモリデータが格納されることとなる。
【０１４８】
また、上記受信したレスポンスデータが否定応答を含む場合、および、リクエスト送信部３４３が表示装置１００にリクエストデータを送信してから所定時間経過してもレスポンスデータを受信しなかった場合、レスポンス受信部３４４は、処理が正常に終了しなかったものと判定する。この場合、例えば、表示画面生成部３４６のレスポンス出力画面生成部３４６２（後述する）に、エラーメッセージを含む画面を生成させ、表示部３６０に出力させる。
【０１４９】
次に、画像生成部３４５は、レスポンス受信部３４４によって、表示チェックコマンドを含むリクエストデータに対する、肯定応答を含むレスポンスデータが受信された場合、受信用バッファ３３６に格納されたレスポンスデータに含まれる画素メモリデータから、表示装置１００の表示部１６０に現在表示されている表示中画像ＮＤを生成する。このとき、画素メモリデータを、画素毎の画素信号に復元した上で、該復元した画素毎の画素信号に基づいて表示中画像ＮＤを生成する。
【０１５０】
なお、画像生成部３４５は、表示中画像ＮＤを表示部３６０に表示させるためのチェック用データを生成し、表示装置情報記憶部３３１に格納する。ここで、「チェック用データ」とは、表示部３６０に表示中画像ＮＤを表示させるためのデータである。なお、このとき、チェック用画像データを、上記受信したレスポンスデータを送信した表示装置１００の装置ＩＤ（つまり、当該レスポンスデータに対応するリクエストデータに含まれていた装置ＩＤ）と対応付けて、表示装置情報記憶部３３１に格納する。
【０１５１】
次に、表示画面生成部３４６について説明する。表示画面生成部３４６は、概略的には、（１）ユーザから各種入力操作を受け付けるための画面（ユーザインタフェース画面）、および、（２）表示装置１００から受信したレスポンスデータの内容を出力するための画面を生成するとともに、これらの画面を表示部３６０に表示させるものである。そのために、表示画面生成部３４６は、操作ＵＩ生成部３４６１、およびレスポンス出力部（表示制御手段）３４６２を含んでいる。
【０１５２】
操作ＵＩ生成部３４６１は、表示更新操作、表示チェック操作、生存確認操作、および電源測定操作を受け付けるためのユーザインタフェースを生成し、表示部３６０に表示させる。このとき、表示装置１００の装置ＩＤを指定させるために、表示装置情報記憶部３３１に記憶されている装置ＩＤを指定可能なユーザインタフェースを生成する。また、表示更新操作が行なわれる場合は、商品ＩＤを指定させるために、商品情報記憶部３３２に記憶されている商品ＩＤを指定可能なユーザインタフェースを生成する。
【０１５３】
レスポンス出力部３４６２は、レスポンス受信部３４４によって、表示装置１００からレスポンスデータが受信された場合、当該レスポンスデータの内容を含む画面を生成し、表示部３６０に表示させる。例えば、レスポンスデータが否定応答を含む場合、エラーメッセージを含む画面を生成し、表示部３６０に表示させる。また、レスポンスデータが肯定応答を含む場合、処理が正常終了した旨のメッセージを含む画面を生成し、表示部３６０に表示させる。
【０１５４】
さらに、表示チェックコマンドを含むリクエストデータに対する、肯定応答を含むレスポンスデータが受信されている場合、画像生成部３４５によって生成された表示中画像ＮＤを表示部３６０に表示させる。これにより、ユーザは、表示装置１００の表示部１６０に表示されている表示中画像ＮＤを、データ提供装置３００ａの表示部３６０にて確認することができる。なお、表示中画像ＮＤを表示部３６０に表示させるとき、表示装置情報記憶部３３１に格納されている、対応するチェック用データを用いる。
【０１５５】
なお、表示画面生成部３４６は、メッセージ記憶部３３４から各種メッセージ（文字列、画像、アイコン等）を適宜読み出し、該読み出したメッセージを含めた画面を生成する。
【０１５６】
（記憶部のデータ構造例）
次に、図９を参照しながら、表示装置情報記憶部３３１のデータ構造の一例について説明する。図９は、表示装置情報記憶部３３１のデータ構造の一例を示す模式図である。同図に示す例では、表示装置情報記憶部３３１は、装置ＩＤ毎に、装置ＩＤ、商品ＩＤ、表示用データ、およびチェック用データを対応付けて記憶する。
【０１５７】
次に、図１０を参照しながら、商品情報記憶部３３２のデータ構造の一例について説明する。図１０は、商品情報記憶部３３２のデータ構造の一例を示す模式図である。同図に示す例では、商品情報記憶部３３２は、商品ＩＤ毎に、商品ＩＤ、商品の名称である商品名、商品の販売価格、商品１つ当たりの容量、および容量の単位を対応付けて記憶する。さらに他の商品情報を記憶させてもよい。
【０１５８】
次に、図１１を参照しながら、コマンド情報記憶部３３３のデータ構造の一例について説明する。図１１は、コマンド情報記憶部３３３のデータ構造の一例を示す模式図である。同図に示す例では、コマンド情報記憶部３３３は、コマンド毎に、コマンド種別、および、コマンドを示す値の組を記憶する。同図に示す例では、コマンドを示す値を１６進数（Ｈｅｘ）で表現しているが、これに限定されるものではない。
【０１５９】
（表示装置における主な処理の流れ）
次に、図１２を参照しながら、表示装置１００における主な処理の流れについて説明する。図１２は、表示装置１００における主な処理の流れを示すフローチャートである。なお、ここでは、表示装置１００とデータ提供装置３００とは、通信可能に接続されている状態であるものとする。
【０１６０】
まず、リクエスト受信部１４１が、データ提供装置３００からリクエストデータを受信すると（Ｓ１１にてＹＥＳ）、装置ＩＤ解析部１４１１が、受信したリクエストデータに含まれる装置ＩＤが自装置の装置ＩＤと一致するか否か（つまり、リクエストデータが自装置宛であるか否か）を判定する（Ｓ１２）。そして、装置ＩＤが一致した場合（つまり、リクエストデータが自装置宛である場合）（Ｓ１２にてＹＥＳ）、次に、コマンド解析部１４１２は、リクエストデータに含まれるコマンドの種別を解析する（Ｓ１３）。
【０１６１】
そして、コマンドが「表示コマンド」である場合、表示制御部１４２１が、表示コマンド受信処理を行なう（Ｓ１４）。表示コマンド受信処理の詳細な処理の流れについては、別のフローチャートを用いて後述する。
【０１６２】
また、コマンドが「表示チェックコマンド」である場合、画素信号取得部１４２２が、表示チェックコマンド受信処理を行なう（Ｓ１５）。表示チェックコマンド受信処理の詳細な処理の流れについては、別のフローチャートを用いて後述する。
【０１６３】
また、コマンドが「生存確認コマンド」である場合、生存データ出力部１４２３が、生存確認コマンド受信処理を行なう（Ｓ１６）。
【０１６４】
また、コマンドが「電源電圧測定コマンド」である場合、電源電圧測定部１４２４が、電源電圧測定コマンド受信処理を行なう（Ｓ１７）。
【０１６５】
なお、ステップＳ１４〜Ｓ１７における処理が終了すると、再び、ステップＳ１１に戻り、データ提供装置３００からのリクエストデータの受信を待つ。
【０１６６】
（表示コマンド受信処理の流れ）
次に、図１３を参照しながら、図１２で示したステップＳ１４における表示コマンド受信処理の流れについて説明する。図１３は、表示コマンド受信処理の流れを示すフローチャートである。なお、ここでは、異常処理については説明を省略する。
【０１６７】
まず、表示制御部１４２１が、受信用バッファ１３２に格納されているリクエストデータに含まれる表示用データを読み出す（Ｓ２１）。
【０１６８】
そして、表示制御部１４２１が、該読み出した表示用データを表示部１６０に出力することによって、画素メモリ内蔵液晶パネル１６１に画像を表示させる（Ｓ２２）。
【０１６９】
その後、表示制御部１４２１が、肯定応答を示すデータ（例えば、ＡＣＫ）を送信用バッファ１３３に格納する（Ｓ２３）。
【０１７０】
そして、レスポンス送信部１４３が、送信用バッファ１３３に格納されているデータを、レスポンスデータとしてデータ提供装置３００に送信する（Ｓ２４）。
【０１７１】
（表示チェックコマンド受信処理の流れ）
次に、図１４を参照しながら、図１２で示したステップＳ１５における表示チェックコマンド受信処理の流れについて説明する。図１４は、表示チェックコマンド受信処理の流れを示すフローチャートである。なお、ここでは、異常処理については説明を省略する。
【０１７２】
まず、画素信号取得部１４２２が、デジタルメモリ素子６１８に保持されている画素毎の画素信号を取得する（Ｓ３１）。
【０１７３】
続いて、画素信号取得部１４２２が、上記取得した画素毎の画素信号から、画素メモリデータを生成する（Ｓ３２）。そして、該生成した画素メモリデータと肯定応答を示すデータとを送信用バッファ１３３に格納する（Ｓ３３）。
【０１７４】
そして、レスポンス送信部１４３が、送信用バッファ１３３に格納されているデータを、レスポンスデータとしてデータ提供装置３００に送信する（Ｓ３４）。
【０１７５】
（データ提供装置における主な処理の流れ）
次に、図１５および図１６を参照しながら、データ提供装置３００ａにおける主な処理の流れについて説明する。ここでは、特に、データ提供装置３００ａで行なわれる表示更新処理、および、表示チェック処理の流れについて説明する。
【０１７６】
（表示更新処理の流れ）
まず、図１５を参照しながら、データ提供装置３００ａにおける表示更新処理の流れについて説明する。図１５は、データ提供装置３００ａにおける表示更新処理の流れを示すフローチャートである。なお、ここでは、表示装置１００とデータ提供装置３００ａとは、通信可能な状態であるものとする。
【０１７７】
まず、操作部３９０にて、リクエストデータの送信先となる表示装置１００を指定する入力操作（具体的には、表示装置１００の装置ＩＤを指定する操作）を受け付ける（Ｓ４１）。また、商品を指定する入力操作（具体的には、商品ＩＤを指定する操作）を受け付ける（Ｓ４２）。
【０１７８】
そして、リクエストデータ生成部３４２は、上記指定された商品ＩＤと対応付けて商品情報記憶部３３２に記憶されている商品情報を含む提供画像ＳＵを表示装置１００の表示部１６０に表示させるための表示用データを生成する（Ｓ４３）。
【０１７９】
そして、リクエストデータ生成部３４２は、上記生成した表示用データを、入力操作にて指定された装置ＩＤおよび入力操作にて指定された商品ＩＤに対応づけて、表示装置情報記憶部３３１に格納する（Ｓ４４）。
【０１８０】
続いて、リクエストデータ生成部３４２は、入力操作にて指定された装置ＩＤと、コマンド情報記憶部３３３に記憶されている表示コマンドを示す値と、上記生成した表示用データとの組を、リクエストデータとして、送信用バッファ３３５に格納する（Ｓ４５）。
【０１８１】
そして、リクエスト送信部３４３は、送信用バッファ３３５に格納されているリクエストデータを、表示装置１００に送信する（Ｓ４６）。
【０１８２】
その後、レスポンス受信部３４４が、表示装置１００から送信されるレスポンスデータを受信する（Ｓ４７にてＹＥＳ）。なお、該受信したレスポンスデータは受信用バッファ３３６に格納される。
【０１８３】
そして、上記受信したレスポンスデータが否定応答を含む場合（Ｓ４８にてＮＯ）、レスポンス出力画面生成部３４６２が、エラーメッセージを含む画面を表示部３６０に出力する（Ｓ４９）。
【０１８４】
一方、表示装置１００から送信されたレスポンスデータが肯定応答を含む場合（Ｓ４８にてＹＥＳ）、表示更新処理を終了する。このとき、レスポンス出力画面生成部３４６２が、処理が正常終了した旨のメッセージを含む画面を表示部３６０に出力してもよい。
【０１８５】
（表示チェック処理の流れ）
次に、図１６を参照しながら、データ提供装置３００ａにおける表示チェック処理の流れについて説明する。図１６は、データ提供装置３００ａにおける表示チェック処理の流れを示すフローチャートである。なお、ここでは、表示装置１００とデータ提供装置３００ａとは、通信可能な状態であるものとする。
【０１８６】
まず、操作部３９０にて、表示装置１００を指定する入力操作（具体的には、表示装置１００の装置ＩＤを指定する操作）を受け付ける（Ｓ５１）。
【０１８７】
そして、リクエストデータ生成部３４２は、入力操作にて指定された装置ＩＤと、コマンド情報記憶部３３３に記憶されている表示チェックコマンドを示す値との組を、リクエストデータとして、送信用バッファ３３５に格納する（Ｓ５２）。
【０１８８】
そして、リクエスト送信部３４３は、送信用バッファ３３５に格納されているリクエストデータを、表示装置１００に送信する（Ｓ５３）。
【０１８９】
その後、レスポンス受信部３４４が、表示装置１００から送信されるレスポンスデータを受信する（Ｓ５４にてＹＥＳ）。なお、該受信したレスポンスデータは受信用バッファ３３６に格納される。
【０１９０】
そして、上記受信したレスポンスデータが否定応答を含む場合（Ｓ５５にてＮＯ）、レスポンス出力画面生成部３４６２が、エラーメッセージを含む画面を表示部３６０に出力する（Ｓ５６）。
【０１９１】
一方、表示装置１００から送信されたレスポンスデータが肯定応答を含む場合（Ｓ５５にてＹＥＳ）、画像生成部３４５は、受信用バッファ３３６に格納されているレスポンスデータに含まれる画素メモリデータから、表示装置１００の表示部１６０に表示されている表示中画像ＮＤを生成する（Ｓ５７）。
【０１９２】
そして、レスポンス出力画面生成部３４６２が、上記生成された表示中画像ＮＤを含む画面を表示部３６０に表示させる（Ｓ５８）。
【０１９３】
（変形例１）
上述した構成によれば、表示チェック処理の結果、データ提供装置３００ａの表示部３６０にて表示中画像ＮＤを閲覧することができる。この構成に加えて、さらに、表示装置１００に送信したリクエストデータに含めた表示用データによって表示装置１００の表示部１６０に表示されるべき提供画像ＳＵと、表示中画像ＮＤとが一致するか否かを判定する構成を備えていてもよい。そこで、当該構成を備えたデータ提供装置３００ｂについて説明する。
【０１９４】
（データ提供装置の構成）
図１７を参照しながら、データ提供装置３００ｂの要部構成について説明する。図１７は、データ提供装置３００ｂの要部構成を示すブロック図である。なお、なお、説明の便宜上、上述した各部材と同一の機能を有する部材には、同一の符号を付記し、その説明を省略する。また、上述した処理と同一の処理については、その説明を省略する。
【０１９５】
同図に示すように、データ提供装置３００ｂは、記憶部３３０、制御部３４０ｂ、表示部３６０、無線通信部３８０、および操作部３９０を備えている。
【０１９６】
制御部３４０ｂは、画像比較部（画像生成手段）３４７を新たに含んでいること、および、レスポンス出力部３４６２をレスポンス出力部（判定結果出力手段）３４６２ｂに置き換えたことを除き、制御部３４０と同一の部材を含んでいる。
【０１９７】
画像比較部３４７は、レスポンス受信部３４４が受信したレスポンスデータに対応する表示チェックコマンドに指定された装置ＩＤと対応付けて表示装置情報記憶部３３１に格納されている表示用データを読み出し、該読み出した表示用データで表される提供画像ＳＵと、画像生成部３４５が生成した表示中画像ＮＤとが一致するか否かを判定する。当該判定方法は特に限定されるものではない。例えば、一般的に知られている画像処理を用いる方法であってもよい。なお、上記判定は、提供画像ＳＵと表示中画像ＮＤとが完全一致するか否かを判定するものでなくてもよく、提供画像ＳＵと表示中画像ＮＤとが略同一であるか否かを判定するものであってもよい。
【０１９８】
次に、レスポンス出力部３４６２ｂは、レスポンス出力部３４６２が備える機能に加えて、さらに、画像比較部３４７による判定の結果を含む画面を表示部３６０に出力する。
【０１９９】
具体的には、画像比較部３４７による判定の結果、提供画像ＳＵと表示中画像ＮＤとが一致するときは、提供画像ＳＵおよび表示中画像ＮＤを含み、かつ、提供画像ＳＵと表示中画像ＮＤとが一致する旨を含むメッセージを表示した画面を生成し、表示部３６０に出力する。一方、画像比較部３４７による判定の結果、提供画像ＳＵと表示中画像ＮＤとが一致しないときは、提供画像ＳＵおよび表示中画像ＮＤを含み、かつ、提供画像ＳＵと表示中画像ＮＤとが一致しない旨を含む警告メッセージを表示した画面を生成し、表示部３６０に出力する。
【０２００】
（データ提供装置における主な処理の流れ）
図１８を参照しながら、データ提供装置３００ｂにおける表示チェック処理の流れについて説明する。図１８は、データ提供装置３００ｂにおける表示チェック処理の流れの一部を示すフローチャートである。
【０２０１】
なお、データ提供装置３００ｂにおける表示チェック処理の前半は、図１６に示したステップＳ５１〜Ｓ５８までの処理と同じであるので、図１８では記載を省略している。同図に示すステップＳ６２は、ステップＳ５８の直後のステップであるものとする。
【０２０２】
ステップＳ６２では、画像比較部３４７が、ステップＳ５１にて指定された装置ＩＤに対応付けて表示装置情報記憶部３３１に格納されている表示用データを読み出し、該読み出した表示用データで表される提供画像ＳＵと、ステップＳ５７にて生成した表示中画像ＮＤとが一致するか否かを判定する（Ｓ６２）。
【０２０３】
そして、提供画像ＳＵと表示中画像ＮＤとが一致する場合（Ｓ６３にてＹＥＳ）、レスポンス出力部３４６２ｂが、提供画像ＳＵおよび表示中画像ＮＤを含み、かつ、提供画像ＳＵと表示中画像ＮＤとが一致する旨（言い換えれば、表示装置１００の表示部１６０の表示内容は正しい旨）を含むメッセージを表示した画面を生成し、表示部３６０に出力する（Ｓ６４）。
【０２０４】
一方、提供画像ＳＵと表示中画像ＮＤとが一致しない場合（Ｓ６３にてＮＯ）、レスポンス出力部３４６２ｂが、提供画像ＳＵおよび表示中画像ＮＤを含み、かつ、提供画像ＳＵと表示中画像ＮＤとが一致しない旨（言い換えれば、表示装置１００の表示部１６０の表示内容は正しくない旨）を含む警告メッセージを表示した画面を生成し、表示部３６０に出力する（Ｓ６５）。
【０２０５】
（画面例）
図１９を参照しながら、上述したステップＳ６４およびＳ６５にて表示部３６０に出力する画面例について説明する。
【０２０６】
図１９（ａ）は、ステップＳ６４にて表示部３６０に出力する画面例の模式図である。図１９（ａ）に示すとおり、当該画面には、提供画像ＳＵ１および表示中画像ＮＤ１とが含まれており、また、提供画像ＳＵ１と表示中画像ＮＤ１とが一致する旨のメッセージＭ１が表示されている。
【０２０７】
図１９（ｂ）は、ステップＳ６５にて表示部３６０に出力する画面例の模式図である。図１９（ｂ）に示すとおり、当該画面には、提供画像ＳＵ１および表示中画像ＮＤ２とが含まれており、また、提供画像ＳＵ１と表示中画像ＮＤ２とが一致しない旨のメッセージＭ２が表示されている。
【０２０８】
（変形例２）
上述した構成によれば、提供画像ＳＵと表示中画像ＮＤとが一致するか否かを、データ提供装置３００ｂの表示部３６０にて閲覧することができる。この構成に代えて、提供画像ＳＵと表示中画像ＮＤとが一致しないとき、提供画像ＳＵを表示させるための表示用データを含むリクエストデータを表示装置１００に送信することによって、表示装置１００の表示部１６０の表示内容を更新させてもよい。そこで、以下で、当該構成を備えたデータ提供装置３００ｃについて説明する。
【０２０９】
（データ提供装置の構成）
図２０を参照しながら、データ提供装置３００ｃの要部構成について説明する。図２０は、データ提供装置３００ｃの要部構成を示すブロック図である。なお、なお、説明の便宜上、上述した各部材と同一の機能を有する部材には、同一の符号を付記し、その説明を省略する。また、上述した処理と同一の処理については、その説明を省略する。
【０２１０】
同図に示すように、データ提供装置３００ｃは、記憶部３３０、制御部３４０ｃ、表示部３６０、無線通信部３８０、および操作部３９０を備えている。
【０２１１】
制御部３４０ｃは、画像比較部３４７を画像比較部（画像判定手段）３４７ｃに置き換え、リクエストデータ生成部３４２をリクエストデータ生成部３４２ｃに置き換え、レスポンス出力部３４６２ｂをレスポンス出力部３４６２に置き換えた点を除き、制御部３４０ｂと同一の部材を含んでいる。
【０２１２】
画像比較部３４７ｃは、画像比較部３４７と同様に、提供画像ＳＵと表示中画像ＮＤとが一致するか否かを判定する。そして、提供画像ＳＵと表示中画像ＮＤとが一致しないとき、リクエストデータ生成部３４２ｃに、リクエストデータの再生成を指示する。このとき、リクエストデータの送信先となる表示装置１００の装置ＩＤを、リクエストデータ生成部３４２ｃに通知する。なお、当該装置ＩＤは、画像比較部３４７ｃが表示装置情報記憶部３３１から読み出す表示用データと対応付けて表示装置情報記憶部３３１に格納されている装置ＩＤである。
【０２１３】
リクエストデータ生成部３４２ｃは、リクエストデータ生成部３４２が備える機能に加え、画像比較部３４７ｃからの指示に従って、リクエストデータを生成する。
【０２１４】
具体的には、画像比較部３４７ｃから通知された装置ＩＤと、コマンド情報記憶部３３３に記憶されている表示コマンドを示す値と、当該装置ＩＤと対応付けて表示装置情報記憶部３３１に格納されている表示用データとの組を、リクエストデータとして、送信用バッファ３３５に格納する。なお、この後、リクエスト送信部３４３により、送信用バッファ３３５に格納されているリクエストデータが表示装置１００に送信される。
【０２１５】
（データ提供装置における処理の流れ）
図２１を参照しながら、データ提供装置３００ｃにおける表示チェック処理の流れについて説明する。図２１は、データ提供装置３００ｃにおける表示チェック処理の流れの一部を示すフローチャートである。なお、データ提供装置３００ｃにおける表示チェック処理の前半は、図１６に示したステップＳ５１〜Ｓ５８までの処理と同じであるので、図２１では記載を省略している。同図に示すステップＳ６２は、図１６に示したステップＳ５８の直後のステップであるものとする。また、同図に示すステップＳ６２およびＳ６３は、図１８に示したステップＳ６２およびＳ６３と同一であるので、説明を省略する。
【０２１６】
ステップＳ６３にて、提供画像ＳＵと表示中画像ＮＤとが一致しない場合（Ｓ６３にてＮＯ）、画像比較部３４７ｃは、リクエストデータ生成部３４２ｃにリクエストデータの再生成を指示し、リクエストデータ生成部３４２ｃは、画像比較部３４７ｃから通知された装置ＩＤと、コマンド情報記憶部３３３に記憶されている表示コマンドを示す値と、当該装置ＩＤと対応付けて表示装置情報記憶部３３１に格納されている表示用データとの組を、リクエストデータとして、送信用バッファ３３５に格納する（Ｓ７４）。
【０２１７】
そして、リクエスト送信部３４３は、送信用バッファ３３５に格納されているリクエストデータを、表示装置１００に送信する（Ｓ７５）。
【０２１８】
その後、レスポンス受信部３４４が、表示装置１００から送信されるレスポンスデータを受信する（Ｓ７６にてＹＥＳ）。当該受信したレスポンスデータが否定応答を含む場合（Ｓ７７にてＮＯ）、レスポンス出力画面生成部３４６２が、エラーメッセージを含む画面を表示部３６０に出力する（Ｓ７８）。
【０２１９】
一方、表示装置１００から送信されたレスポンスデータが肯定応答を含む場合（Ｓ７７にてＹＥＳ）、表示チェック処理を終了する。このとき、レスポンス出力画面生成部３４６２が、処理が正常終了した旨のメッセージを含む画面を表示部３６０に出力してもよい。
【０２２０】
（その他の変形例）
上述した構成のほか、データ提供装置３００は、文字認識機能を備える構成であってもよい。そして、当該文字認識機能にて、表示中画像ＮＤに含まれる文字を読み取ることによって、表示中画像ＮＤに含まれる商品名や販売価格等の文字情報を取得してもよい。
【０２２１】
上記構成によれば、表示装置１００に表示している画像に含まれる文字情報を、データ提供装置３００の表示部３６０にて閲覧することができる。
【０２２２】
さらに、表示装置１００をデータ表示システム８００に登録する際、表示装置１００からデータ提供装置３００に画素メモリデータを送信する構成としてもよい。そして、データ提供装置３００は、表示装置１００から送信された画素メモリデータにより生成される表示中画像ＮＤに含まれる文字を、上記文字認識機能にて読み取ることにより、商品名や販売価格等の文字情報およびバーコードデータ等を取得することができる。
【０２２３】
上記構成によれば、データ提供装置３００の記憶装置が破損等することによりデータ提供装置３００にて管理していた表示装置１００に送信したデータが失われるようなケースが生じても、サーバ装置や記憶装置を置き換えた後、表示装置１００をデータ表示システム８００に登録するだけで、表示装置１００に送信したデータを復元することができる。
【０２２４】
（付記事項）
最後に、制御部１４０および制御部３４０（制御部３４０は、制御部３４０ａ、制御部３４０ｂ、制御部３４０ｃの総称とする）は、ハードウェアロジックによって構成してもよいし、次のようにＣＰＵを用いてソフトウェアによって実現してもよい。
【０２２５】
すなわち、表示装置１００およびデータ提供装置３００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである表示装置１００およびデータ提供装置３００の制御プログラムのプログラムコード（実行形式プログラム、中間コードプログラム、ソースプログラム）をコンピュータで読み取り可能に記録した記録媒体を、上記表示装置１００およびデータ提供装置３００に供給し、そのコンピュータ（またはＣＰＵやＭＰＵ）が記録媒体に記録されているプログラムコードを読み出し実行することによっても、達成可能である。
【０２２６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２２７】
また、表示装置１００およびデータ提供装置３００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２２８】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２９】
本発明は、画像などの表示を行なう表示装置、および、表示装置に画像を提供するサーバ装置に適用できる。表示装置としては、特に、通電を要さずに表示内容を保持する機能を有するメモリ性液晶パネルを備えた電子棚札、ＩＣカード等に好適に適用できる。
【符号の説明】
【０２３０】
１００    表示装置
１４３    レスポンス送信部（画素信号送信手段）
１６０    表示部（表示装置側表示部）
１６１    画素メモリ内蔵液晶パネル
３３１    表示装置情報記憶部（記憶部）
３４２    リクエストデータ生成部（画素信号要求手段、画像送信手段）
３４２ｃ  リクエストデータ生成部（画素信号要求手段、画像送信手段）
３４３    リクエストデータ送信部（画素信号要求手段、画像送信手段）
３４５    画像生成部（画像生成手段）
３４７    画像比較部（画像判定手段）
３４７ｃ  画像比較部（画像判定手段）
３６０    表示部（出力部）
３００    データ提供装置
３００ａ  データ提供装置
３００ｂ  データ提供装置
３００ｃ  データ提供装置
６１８    デジタルメモリ素子（記憶素子）
８００    データ表示システム
１４２１    表示制御部（表示制御手段）
１４２２    画素信号取得部（画素信号取得手段）
３４６２    レスポンス出力部（表示制御手段）
３４６２ｂ  レスポンス出力部（判定結果出力手段）
ＮＤ    表示中画像
ＳＵ    提供画像
【図１】
2011095496.tif 000003
【図２】
2011095496.tif 000004
【図３】
2011095496.tif 000005
【図４】
2011095496.tif 000006
【図５】
2011095496.tif 000007
【図６】
2011095496.tif 000008
【図７】
2011095496.tif 000009
【図８】
2011095496.tif 000010
【図９】
2011095496.tif 000011
【図１０】
2011095496.tif 000012
【図１１】
2011095496.tif 000013
【図１２】
2011095496.tif 000014
【図１３】
2011095496.tif 000015
【図１４】
2011095496.tif 000016
【図１５】
2011095496.tif 000017
【図１６】
2011095496.tif 000018
【図１７】
2011095496.tif 000019
【図１８】
2011095496.tif 000020
【図１９】
2011095496.tif 000021
【図２０】
2011095496.tif 000022
【図２１】
2011095496.tif 000023
【図２２】
2011095496.tif 000024